(57)【要約】      （修正有）【課題】家具を構成する部材が高い強度にて連結することが出来る連結構造の提供。【解決手段】テーブルを構成する上板１と側板２は所定の傾斜角をもって互いに当接する接合面７，７を有し、この接合面７，７には嵌合溝６，６を設け、そして該嵌合溝６，６には金属アングル３の上片４と側片５を隙間なく嵌合して連結している。【選択図】図２
2011017364.tif 000002
【特許請求の範囲】
【請求項１】
家具を構成する部材の連結構造において、各部材は所定の傾斜角をもって互いに当接する接合面を有し、この接合面には嵌合溝を設け、そして該嵌合溝には金属アングルの各片を隙間なく嵌合して連結したことを特徴とする家具における部材の連結構造。
【請求項２】
互いに当接した上記接合面が離れないように、接着剤などの固定手段も受けた請求項１記載の家具における部材の連結構造。
【請求項３】
上記嵌合溝を接合面に沿って全長にわたって形成した請求項１、又は請求項２記載の家具における部材の連結構造。
【発明の詳細な説明】
【技術分野】
【０００１】
本発明は木製家具を対象とし、各部材が安定して連結されるように、高い強度を備えた連結構造に関するものである。
【背景技術】
【０００２】
木製家具は日本の和風様式の住宅に適合することから、昔から色々な種類及び形態の家具が使用されている。ところで、これら木製家具は複数の木材が連結した構造となっているが、各部材の連結強度が問題となる。図５は木製のテーブルを示した具体例であり、上板（イ）と両側板（ロ）、（ロ）から成って、上板（イ）の両側端に側板（ロ）、（ロ）が連結した門形テーブルを構成している。
【０００３】
ここで、上板（イ）の両側端は側板（ロ）、（ロ）の上に載った状態でネジ止めされている。又はクギ打ちする場合もあるが、頭部が上板（イ）の表面に露出しないように埋め込まれている。ところが、複数本のネジ止めにて上板（イ）と側板（ロ）を連結した構造はその連結強度が十分でなく、他の手段にて補強する場合が多い。
【０００４】
一方、上記図５に示すように、側板（ロ）の上端に上板（イ）を載置した連結構造はテーブルの外観が損なわれることから、一般的には上板（イ）と側板（ロ）の接合面を４５°とした突合せ面を形成し、この状態でネジ止めしたりクギ打ちする場合が多い。しかし、連結強度が不足するのは同じであり、何らかの補強が必要となる。
【０００５】
図６ａ）は上板（イ）と側板（ロ）の内側コーナーに三角形断面の補給部材（ハ）を取着した場合である。内側コーナーに該補強部材（ハ）をネジ止め又はクギ打ちなどで固定することで、上板（イ）と側板（ロ）の連結強度は向上するが、内側コーナーに該補強部材（ハ）が存在することが邪魔になるケースも多い。又同図の（ｂ）は金属製のＬ形金具（ニ）を取付けた場合であり、上片（ホ）は上板（イ）にネジ止めされ、側片（ヘ）は側板（ロ）にネジ止めされている。
【０００６】
従って、上板（イ）と側板（ロ）の連結強度は高くなる。すなわち、側板表面に垂直方向の外力が作用しても、又上板（イ）に左右の力（Ｆ）が働いても、側板（ロ）は連結部を基点として折れ曲がったり、倒れたりすることはない。
【０００７】
金属製の上記Ｌ形金具（ニ）にて上板（イ）と側板（ロ）の連結部を補強する場合、三角形断面の補強部材（ハ）ほどではないが、邪魔になることもあり、何よりも木製家具に金属製のＬ形金具（ニ）を取付けることは該家具の外観を損なうことになる。これらの他にも連結部を補強する手段は色々存在するが、補強手段が邪魔にならず、外観を損なわないことが条件となる。
【発明の開示】
【発明が解決しようとする課題】
【０００８】
このように、木製家具は複数の木材を連結して構成しているが、該連結構造に関して上記のごとき問題がある。本発明が解決しようとする課題はこの問題点であり、簡単な構造でもって高い連結強度を得ることが出来、しかも家具の外観を損なうことのない連結構造を提供する。
【課題を解決するための手段】
【０００９】
本発明に係る家具における部材の連結構造には金属アングル（例えばＬ形金具など）が使用される。しかし、従来のように互いに連結する部材の内側コーナーに上記金属アングルを取付けるのではなく、内部に埋め込んだ構造としている。そこで、互いに当接する部材の接合面には嵌合溝が形成され、この嵌合溝に金属アングルの各片が嵌合して連結部材が連結される。
【００１０】
互いに連結される各部材の交差角度は９０°に限定するものではなく、この交差角度に応じた金属アングルが使用される。嵌合溝は接合面の全幅にわたって形成されるが、金属アングルの長さは嵌合溝と同一寸法にする必要はない。嵌合溝に複数の金属アングルを取付ける場合もある。そして、嵌合溝の端面は開口しないように木片を埋めて塞がれる。
【発明の効果】
【００１１】
本発明に係る家具を構成している各部材は金属アングルを介して連結されるが、しかし従来のようなネジ止めではなく、接合面に嵌合溝を形成し、この嵌合溝に金属アングルの各片が嵌合する。従って、金属アングルの強度がそのまま各部材の連結強度となって非常に高くなり、安定した連結構造が構成される。例えば、前記図５に示す門形テーブルの場合、天板に左右の力Ｆが働いても、金属アングルの各片の交差角が変化しない限り側板が折れ曲がることはない。そして、該金属アングルは連結部の表面に露出することはなく、その為に家具の外観が損なわれることもない。
【図面の簡単な説明】
【００１２】
【図１】本発明の連結構造を備えた門形テーブル。
【図２】連結部の縦断面拡大図。
【図３】金属アングルの具体例。
【図４】本発明の連結構造を備えたもたれ椅子。
【図５】従来の連結構造を備えた門形テーブル。
【図６】従来の連結部の補強手段。
【発明を実施するための形態】
【００１３】
本発明の連結構造が適用される家具は色々あるが、説明の都合上前記図        ５に示した門形テーブルとする。図１はこの門形をしたテーブルの正面図、底面図、側面図を示している。上板１の両側端に側板２，２を連結した門形形態をなし、本発明では上板１と側板２の連結構造が強固であり、しかもテーブルの外観が損なわれないように構成している。
【００１４】
そこで、この連結部にはＬ形断面の金属アングル３，３が取付けられ、しかも金属アングル３，３は外に露出しないように埋着されている。図２は図１における連結部の縦断面拡大図を示している。上記金属アングル３はＬ形断面をした部材であり、上片４と側片５を有して互いに垂直をなし、上片４は上板１に形成した嵌合溝６に嵌合し、側片５は側板２に形成した嵌合溝６に嵌合している。
【００１５】
上板１の側端は４５°に傾斜した接合面７を形成し、同じく側板５の上端は４５°に傾斜した接合面７を形成している。上記嵌合溝６は接合面７から切込まれて上板１及び側板２の表面に平行に設けられ、Ｌ形断面をした金属アングル３の上片４及び側片５は該嵌合溝６，６に嵌ることで連結される。従って、上板１と側板２の連結強度は金属アングル３の上片４と側片５の曲げ強度（上片４と側片５の交差角９０°を増減させるモーメント）に匹敵することになり、非常に強靭な連結構造となる。
【００１６】
図１の側面図から明らかなように、嵌合溝６は正面から背面にかけて連続して形成されているが、この嵌合溝６に２本の金属アングル３，３が嵌っている。そして、正面と背面に開口した嵌合溝６には木片が嵌められて塞がっている。このように上記金属アングル３を嵌めることで、側板５の表面に大きな外力が作用しても曲がったり倒れることはなく、高い強度の連結構造と成るが、このままでは上板１及び側板２は金属アングル３の上片４及び側片５から抜けてしまう。
【００１７】
そこで、上板１と側板２の接合面７が離れないように、該接合面７は接着剤にて接着されている。又は正面側及び背面側にて両接合面７，７が離れないようにクサビを打ち込むことも出来る。ここで、該金属アングル３の上片４及び側片５は嵌合溝６，６に圧入状態で嵌っていて、間には隙間が生じないように嵌合溝６の溝幅が設定される。
【００１８】
図３は金属アングル３を単独で示しているように、一般にはアルミの押出し材を適当な長さに切断して用いられる。ところで、該金属アングル３は上片４と側片５の交差角θは９０°と成っているが、家具の連結部を構成する各部材によっては色々な交差角の金属アングルが使用される。
【００１９】
図４は本発明の連結構造を備えたもたれ椅子を示している。該もたれ椅子は前方上板８、後方上板９、前脚１０、及び後脚１１で構成し、これら各板材は互いに連結している。前方上板８と後方上板９とは金属アングル１２を介して連結している。又前方上板８と前脚１０とは金属アングル１３を介して連結している。さらに、後方上板９と後脚１１とは金属アングル１４を介して連結している。
【００２０】
ところで、図４に示すもたれ椅子は上に載って横たわることが出来る椅子であり、後方上板９は身体の胴体部を、前方上板８には腰及び脚部を支えることが出来る。そこで、前方上板８と後方上板９とは交差角αにて連結され、前方上板８と前脚１０とは交差角βにて連結され、さらに後方上板９と後脚１１とは交差角γにて連結している。
【００２１】
その為に、金属アングル１２の両片は交差角αと成っている。勿論、前方上板８と後方上板９の接合面には嵌合溝が形成され、この嵌合溝に金属アングル１２の各片が嵌合して連結し、しかも接合面が離れないように接着されている。又、金属アングル１３の両片は交差角βとなっていて、前方上板８と前脚１０の接合面には嵌合溝が形成され、この嵌合溝に金属アングル１３の各片が隙間なく嵌合している。さらに、金属アングル１４の両片は交差角γと成っていて、後方上板９と後脚１１の接合面には嵌合溝が設けられ、この嵌合溝に金属アングル１４の各片が隙間なく嵌合している。
【００２２】
このもたれ椅子の前方上板８及び後方上板９の連結部は床面に接しておらず、上に載るならば前方上板８及び後方上板９は下方へ撓むことに成る。この場合、両前方上板８と後方上板９の連結部には大きなモーメントが作用するが、金属アングル１２を嵌めて連結することで該モーメントに耐えることが出来る。ただし、この場合、接合面が離れないように金属アングル１２の各片と前方上板８及び後方上板９を連結する為にネジ止め、又はピン止めする方がよい。
【符号の説明】
【００２３】
１  上板
２  側板
３  金属アングル
４  上片
５  側片
６  嵌合溝
７  接合面
８  前方上板
９  後方上板
10  前脚
11  後脚
12  金属アングル
13  金属アングル
14  金属アングル
【図１】
2011017364.tif 000003
【図２】
2011017364.tif 000004
【図３】
2011017364.tif 000005
【図４】
2011017364.tif 000006
【図５】
2011017364.tif 000007
【図６】
2011017364.tif 000008